(57)【要約】      （修正有）【課題】使用水を無駄にすることなく、貯水容器の水位に応じて使用水の給水を適切に行えるようにすることにより、かかる使用水を利用する種々の作業の効率化に寄与し得る貯水ユニットを提供する。【解決手段】使用水を貯水する貯水容器１と、貯水容器１内の使用水の水位に応じて貯水容器１への給水及びその停止を行うフロート弁２と、給水用ホースをフロート弁２に接続する接続継手３とを備えている。【選択図】図１
0003186089.tif 000002
【実用新案登録請求の範囲】
【請求項１】
使用水を貯水する貯水容器と、
前記貯水容器内の使用水の水位に応じて該貯水容器への給水及びその停止を行うフロート弁と、
給水用ホースを前記フロート弁に接続する接続継手と、
を備えてなることを特徴とする貯水ユニット。
【請求項２】
前記フロート弁が、フロート弁本体と、
使用水を前記貯水容器に流出すべく前記フロート弁本体の下部に下向きに設けられる流出管と、
前記貯水容器の水位に応じて前記流出管に沿って昇降するフロートと、
を備えてなる請求項１記載の貯水ユニット。
【請求項３】
前記接続継手が、前記フロート弁に固定される固定具と、
前記給水ホースを前記固定具に接続するための接続具と、
を備えてなる請求項１又は２記載の貯水ユニット。
【請求項４】
前記貯水容器に持ち手が回動自在に設けられてなる請求項１乃至３の何れか一つに記載の貯水ユニット。
【請求項５】
前記貯水容器が合成樹脂製のバケツからなる請求項１乃至４の何れか一つに記載の貯水ユニット。
【考案の詳細な説明】
【技術分野】
【０００１】
本考案は、例えば壁面や床面、各種車両を高圧洗浄機により水洗浄する場合等のように、比較的大量の給水を必要とする各種の作業において、その使用水を適切に貯水することのできる運搬が容易な貯水ユニットに関するものである。
【背景技術】
【０００２】
従来、この種の運搬が容易な貯水ユニットとしては、例えば、実開平６−３１６３８号公報に記載のものが公知である。この従来のものは、貯水容器であるバケツに取り付けられた取っ手の軸に、ホースを挿着保持可能なホース受けが回動自在に設けられたものであり、ホース受けにはホースを側方から挿入する切欠と、挿入されたホースを保持する孔とを有する保持片が形成されている。これによると、バケツへの給水時においてホース受けによりホースが良好に保持されるために、ホースの不用意な離脱を防止することができるので、一連の給水作業がスムーズに行えるという利点がある。
【先行技術文献】
【特許文献】
【０００３】
【特許文献１】実開平６−３１６３８号公報
【考案の概要】
【考案が解決しようとする課題】
【０００４】
ところで、この種の貯水ユニットにあっては、比較的大量の使用水を確保する必要がある作業、例えば高圧洗浄機により壁面や床面、各種車両を洗浄するような作業等において、貯水容器に一時的に貯水した使用水が洗浄用水等として使用される場合がある。この場合、作業中は貯水容器の貯水量を十分に確保するために、給水源から貯水容器への給水を常時行う必要がある。このような場合は、常時給水するため、給水する水が貯水容器から溢れさせている場合がある。
【０００５】
このような場合においては、貯水容器から溢れさせている水は無駄であり、また、貯水容器からの溢水の発生を回避するために、作業者が給水源からの給水状況を逐次管理するということは、作業者に多大なる負担をかけると共に、作業効率性を大幅に低下せしめることになる。
【０００６】
本考案は、かかる点に鑑みてなされたものであり、その目的とするところは、使用水を無駄にすることなく、貯水容器の水位に応じて使用水の給水を適切に行えるようにすることにより、かかる使用水を利用する種々の作業の効率化に寄与し得る貯水ユニットを提供することにある。
【課題を解決するための手段】
【０００７】
請求項１に記載の貯水ユニットは、使用水を貯水する貯水容器と、前記貯水容器内の使用水の水位に応じて該貯水容器への給水及びその停止を行うフロート弁と、給水用ホースを前記フロート弁に接続する接続継手とを備えていることを特徴としている。
【０００８】
請求項１に記載の貯水ユニットにあっては、給水源から使用水は給水用ホース、接続継手及びフロート弁を介して貯水容器に給水される。そして、貯水容器の水位に応じてフロート弁により使用水の給水及びその停止が自動的に行われることになる。このようなフロート弁を貯水ユニットに備えさせることにより、貯水容器からの不当な溢水を良好に回避できるのは勿論のこと、作業者の給水管理に対する負担が大幅に低減されるために、作業者は本来の作業に専念することが可能になり、その作業効率の向上を図ることができる。
【０００９】
請求項２に記載の貯水ユニットは、請求項１に記載の貯水ユニットにおいて、前記フロート弁が、フロート弁本体と、使用水を前記貯水容器に流出すべく前記フロート弁本体の下部に下向きに設けられる流出管と、前記貯水容器の水位に応じて前記流出管に沿って昇降するフロートとを備えていることを特徴としている。
【００１０】
請求項２に記載の貯水ユニットにおいては、フロートは貯水容器の水位に応じて流出管に沿って上下に昇降することになる。このフロートは、フロート弁本体の下部に下向きに設けられた流出管に沿って昇降するように構成されている。即ち、フロートはフロート弁本体の下方位置に配置されることになるために、貯水容器内の空きスペースを十分に確保することが可能になる。従って、貯水容器に貯水された使用水を利用するために、例えば貯水容器内に比較的大きなストレーナーを備えた吸水ホースがセットされたり、大型の水中ポンプがセットされるような場合であっても、その設置にフロートが支障を与えるという事態を回避することが可能となり、使い勝手が非常に良好である。
【００１１】
請求項３に記載の貯水ユニットは、請求項１又は２記載の貯水ユニットにおいて、前記接続継手が、前記フロート弁に固定される固定具と、前記給水ホースを前記固定具に接続するための接続具とを備えていることを特徴としている。
【００１２】
請求項３に記載の貯水ユニットにあっては、フロート弁に固定した固定具に給水用ホースを接続した接続具が接続される。このように、接続具を固定具と接続具という二部材で構成することにより、予め貯水容器にセットされたフロート弁に固定具を固定しておいて、これに後から給水用ホースが取り付けられた接続具を接続することが可能になるために、接続作業の簡略化を図ることができる。例えば、固定具と接続具とをワンタッチ操作で接続可能な所謂ワンタッチ継手を適用すれば、現場での一連の接続作業がより一層簡易に行えることになる。
【００１３】
請求項４に記載の貯水ユニットは、請求項１乃至３の何れか一つに記載の貯水ユニットにおいて、持ち手が前記貯水容器に回動自在に設けられていることを特徴としている。
【００１４】
請求項４に記載の貯水ユニットにおいては、持ち手を利用することにより、貯水ユニットの移動や搬送作業が容易に行うことができる。
【００１５】
請求項に記載の貯水ユニットは、請求項１乃至４の何れか一つに記載の貯水ユニットにおいて、前記貯水容器が合成樹脂製のバケツからなることを特徴としている。
【００１６】
請求項５に記載の貯水ユニットにおいては、貯水容器が合成樹脂製のバケツからなるために、軽量で使い勝手も良好に構成できるのは勿論のこと、例えば貯水容器として既存の所謂ボリパケツ等を適用することも可能であり、これにより製作コストの低廉化を図ることができる。
【００１７】
また、本考案に係る貯水ユニットは全体としても、その構成が非常に簡易であるために、その取扱いが極めて容易であると共に、安価にその製作が行える。
【考案の効果】
【００１８】
本考案によれば、使用水を無駄にすることなく、貯水容器の水位に応じて使用水の給水を適切に行うことができる貯水ユニットを提供することにより、かかる使用水を利用する種々の作業の効率化に寄与し得ることになる。
【図面の簡単な説明】
【００１９】
【図１】本考案の一実施形態に係る貯水ユニットを示す一部断面を含む正面図である。
【図２】フロート弁を示す断面図である。
【図３】フロートを示す平面図である。
【図４】フロート弁本体の後端部を示す端面図である。
【図５】フロート弁の蓋体の前端部を示す側面図である。
【図６】フロート弁を示す平面図である。
【図７】フロート弁を示す正面図である。
【図８】接続継手を分解した状態を示す半裁断面図である。
【図９】給水状態にあるフロート弁を示す正面図である。
【考案を実施するための形態】
【００２０】
以下、本考案に係る貯水ユニットの一実施形態について、図面に従って説明する。図１は本実施形態に係る貯水ユニットの全体構成を示す正面図であり、第２図はフロート弁の断面図であり、図３はフロートの平面図であり、図４はフロート弁本体の後端部の端面図であり、図５は蓋体７０の前端部を示す側面図であり、図６はフロート弁の平面図であり、図７はフロート弁の正面図であり、図８は接続継手の半裁断面図であり、図９は給水停止状態にあるフロート弁の正面図である。
【００２１】
本実施形態に係る貯水ユニットは、図１に示すように、使用水を貯水するための貯水容器１と、貯水容器１の側面上部側に取付けられるフロート弁としてのボールタップ２と、給水用のホースＨをボールタップ２に接続するための接続継手３とを備えており、ボールタップ２は貯水容器１の水位に応じて使用水を自動給水する機能を有している。
【００２２】
本実施形態における貯水容器１は、例えばポリエチレン、ポリプロピレン、ポリカボネード等の合成樹脂からなる所謂ポリバケツで構成されており、約４５リットルの容量を有している。貯水容器１の対向する上部内周面には、周方向に所定間隔を有して一対のピン１０が内向きにそれぞれ突設されている。径方向に相対する各ピン１０は、略半円弧状の持ち手１１の両端部に形成された孔１２に挿入されており、二点差線で示すように各持ち手１１は回動自在に構成されている。
【００２３】
図２に示すように、ボールタップ本体２０の前端部には接続パイプ２１が嵌入されており、その外周面に形成した鍔部１９はボールタップ本体２０の前端面に係合している。接続パイプ２１の後端部側外周面には二条の溝２２が周方向に形成される共に、これらの各溝２２にはＯリング２３が装着されており、ボールタップ本体２０と接続パイプ２１との間のシールが図られている。接続パイプ２１の内部には、二点鎖線で示すように網部(図示せず)を有するストレーナー２４が着脱自在に装着されている。ボールタップ本体２０の前端部外周面には雄ネジ部２５が形成されており、これにパイプ固定用ナット２６を螺合させて、接続パイプ２１がボールタップ本体２０に固定される。
【００２４】
接続パイプ２１の外周面に形成された雄ネジ部２７にはゴム製の三角パッキン２８が挿着されおり、この状態で接続パイプ２１は貯水容器１の側面上部側に形成された取付孔１３に挿入されている。接続パイプ２１の雄ネジ部２７には、さらにゴム製のパッキン２９とワッシャ３０とが挿着されると共に、六角ナット３１が螺合されて、ボールタップ２が貯水容器１に固定されている。図１に示すように接続パイプ２１の前端部には後述する接続継手３が接続され、給水源からホースＨを介して使用水がボールタップ２に給水されることになる。
【００２５】
ボールタップ本体２０の略中央下部には流出口３２が設けられており、この流出口３２にはソケット３３を介して流出管３４が接続されている。流出管３４の上部及び下部周面には複数の角孔３５が周方向に形成されており、下端部は閉塞されている。また、流出管３４の外周面には前後それぞれの位置にガイド溝３６が上下方向に形成されている。流出管３４にはフロート３７が昇降自在に設けられており、フロート３７は筒状に形成されたフロート本体３８と、フロート本体３８の内部を上下に仕切る仕切り板３９と、仕切り板３９の略中央に形成されて前記流出管３４がスライド自在に挿通される略円筒状のガイド筒４０とを備えている。ガイド筒４０の内周面には流出管３４の各ガイド溝３６にそれぞれ係入される一対のガイド凸部４１が上下方向に設けられている。このガイド凸部４１の幅はガイド溝３６の幅よりも小さく設定されており、フロート３７は流出管３４に対して前後及び左右方向に若干移動可能な遊びを有している。フロート本体３８の内面には、図３に示すように上下方向に円筒ガイド部４２が設けられており、その上部内周面には螺旋状に形成された螺旋凸部４３が設けられている。
【００２６】
図２に示すように、流出口３２よりも前方に位置するボールタップ本体２０の前端部側には、略中央に貫通孔５０を有する仕切り壁５１が設けられている。また、流出口３２よりも後方側に位置するボールタップ本体２０の後端部側には、図４に示すように略中央に流入孔５２を備えた弁座５３が仕切り壁５１と対向するように設けられている。弁座５３の流入孔５２の周囲には、複数の流出孔５４が形成されている。弁座５３の外周面に形成された溝５５にはＯリング５６が装着されている。
【００２７】
図２に示すように、弁座５３の流出孔５４及び仕切り壁５１の貫通孔５０には、使用水の流路５７を形成する略円筒状の流路パイプ５８が挿着されており、この流路パイプ５８を介してボールタップ本体２０の前端部と後端部とが連通するように構成されている。流路パイプ５８の前端に形成された鍔部５９と、仕切り壁５１の内周面に形成された段部６０間にはゴム製のパッキン６１が介装されている。
【００２８】
ボールタップ本体２０の後端部は蓋体７０により閉塞されている。蓋体７０の前面に設けられた筒状部７１の略中央部にはガイドピン７２が突設されており、図５に示すようにガイドピン７２の外周面には軸方向に沿って一対の連通溝７３が形成されている。蓋体７０の筒状部７１には弁座５３の流入孔５２及び流出孔５４を開閉するためのダイヤフラム弁７４が装着されている。図２に示すように、ダイヤフラム弁７４の略中央に形成したガイド孔７５に蓋体７０のガイドピン７２がスライド可能に挿通され、蓋体７０の筒状部７１とダイヤフラム弁７４の背面とにより背圧室７６が形成されている。ダイヤフラム弁７４の背面は、蓋体７０の筒状部７１の内側に設けられた内筒部７７により保持されている。蓋体７０は、その筒状部７１の外周面に所定間隔を有して周設された複数の外向き凸部７８と、ボールタップ本体２０の内周面に所定間隔を有して周設された複数の内向き凸部７９とを係合させてボールタップ本体２０に固定される（図４及び図５参照）。この状態でダイヤフラム弁７４により弁座５３の流入孔５２及び流出孔５４が開閉されることになる。蓋体７０の背面には連通孔８０を有する凸状部８１が形成されており、図６に示すように、この凸状部８１を挟むようにして幅方向に一対の取付片８２が突設され、各取付片８２には円孔８３が対向して形成されている。
【００２９】
取付片８２には連結アーム８４が上下方向に回動するように設けられている。連結アーム８４は、図７に示すように取付片８２の円孔８３に挿着されるピン８５を両側部に有する基部８６と、基部８６の下端部に延設される平面略Ｌの字状のアーム本体８７とを備えている。連結アーム８４の基部８６の前面には、蓋体７０の凸状部８１に対向するように、ゴム製の弁体８８が装着された筒部８９が突設されている。アーム本体８７の先端には平面略Ｃの状のフック９０が形成されている。フック９０には上端部に円柱状の頭部９１が形成された連結杆９２が装着されており、その下半部に形成された雄ねじ部９３は前記フロート３７の円筒ガイド部４２に形成された螺旋凸部４３に螺合されている。図６に示すように、連結杆９２の頭部９１の上面には十字溝９４が形成されている。この十字溝９４等を利用して連結杆９２を回転させることにより、連結杆９２に対するフロート３７の取り付け位置を変更することができるので、給水開始及び給水停止を行う貯水容器１の水位の位置を適宜調整することが可能である。
【００３０】
図８に示すように、接続継手３は接続パイプ２１に固定するための固定具１０１と、ホースＨを接続するための接続具１０２とを備えている。通常、固定具１０１は予め接続パイプ２１に固定しておき、この状態でホースＨを接続した接続具１０２が固定具１０１に連結される。
【００３１】
固定具１０１の前端部に設けられた差口１０３の外周面には、Ｏリング１０４が装着される凹溝１０５が形成されると共に、その後部位置に凹状段部１０６が形成されている。固定具１０１の内周面に拡径するように形成された段部１０７にはパッキン１０８が装着されており、凹状段部１０６から後端部にかけて、内周面には接続パイプ２１の雄ねじ部２７に螺合される雌ねじ部１０９が形成されている。
【００３２】
接続具１０２は、固定具１０１の差口１０３が挿着される受口１１０を有する接続具本体１１１と、接続具本体１１１の後端部側にスライド自在に外嵌される外筒１１２とを備えている。接続具本体１１１の前端部には、可撓性を具備する複数のホース保持片１１３が周方向に所定間隔を有して突設されている。ホース保持片１１３の後部位置には雄ねじ部１１４、鍔部１１５、及びこの鍔部１１５よりも小径の鍔部１１６がそれぞれ形成されている。接続具本体１１１の前端部略中央にはホースＨ内に挿入される筒状部１１７が突設されており、筒状部１１７には開閉弁１１８がスライド自在に挿着されている。開閉弁１１８は筒状部１１７から外部に臨出する大径の頭部１１９と、断面略十字状の弁本体１２０とを備えており、頭部１１９にはＯリング１２１が装着されている。ホースＨは、その端部を筒状部１１７に挿着した状態で、ホース固定ナット１２２を接続具本体１１１の雄ねじ部１１４に螺合することにより接続される。この状態においては、給水源からの使用水の水圧を受けて開閉弁１１８の頭部１１９は接続具本体１１１の筒状部１１７側に移動し、筒状部１１７の端面にＯリング１２１が当接するために、流路が閉鎖される。従って、使用水が接続具１０２から漏洩するようなことはない。一方、固定具１０１に接続具１０２を連結した際には、固定具１０１の差口１０３の前端面により開閉弁１１８の後端部が前方側に押圧保持されるために、接続具本体１１１の筒状部１１７から開閉弁１１８の頭部１１９が離反して流路が形成されることになる。
【００３３】
外筒１１２の前端側内周面と、接続具本体１１１の外周面及び鍔部１１６とにより形成される空間部１２３にはコイルバネ１２４が内装されており、これによって外筒１１２は後端部側に押圧付勢されている。接続具本体１１１の後端部外周面には複数のストッパー１２５が周方向に所定間隔を有して突設される一方で、外筒１１２の後端部内周面には所定間隔を有して複数の内向き凸部１２６が設けられており、この両者が係合することによって接続具本体１１１と外筒１１２との離脱が阻止される。接続具本体１１１には複数の爪１２７が内向きに形成されたリング体１２８が外嵌着されており、可撓性を備えた爪１２７は接続具本体１１１に形成された孔１２９からその先端部が出退するように構成されている。各爪１２７の外側に対向する外筒１１２の内周面には押圧凸部１３０がそれぞれ形成されており、押圧凸部１３０には後端部側程拡径する傾斜面１３１が延設されている。尚、外筒１１２をコイルバネ１２４の付勢力に抗して前方側に押圧すると、押圧凸部１３０と爪１２７との係合状態は解除される。
【００３４】
本実施形態に係る貯水ユニットは、以上のような構成からなっており、次にその一使用例について説明する。上述したように、接続継手３の固定具１０１は予めボールタップ２の接続パイプ２１に固定しておき、これにホースＨが接続された接続具１０２を以下のようにして接続する。先ず、接続具１０２の受口１１０を固定具１０１の差口１０３に挿入して押し込む。すると、接続具１０２の爪１２７は固定具１０１の差口１０３により外向きの押圧力を受けて接続具本体１１１の孔１２９内に後退することになるが、さらに差口１０３が押し込むと、孔１２９から爪１２７が突出して差口１０３の凹状段部１０６に嵌合する。これにより、接続具１０２が固定具１０１に固定されると共に、開閉弁１１８の弁本体１２０が差口１０３の前端部により押圧されて、開閉弁１１８が開放された状態で接続されることになる。
【００３５】
一方、固定具１０１から接続具１０２を取り外す場合は、コイルバネ１２４の付勢力に抗して外筒１１２を前方側にスライドさせると、外筒１１２の押圧凸部１３０による爪１２７の押圧保持状態が解除されることになる。従って、この状態で接続具１０２を固定具１０１から引き抜けば、差口１０３から爪１２７が外向きの押圧力を受けて孔１２９内に後退し、爪１２７と差口１０３の凹状段部１０６との嵌合状態が解除されるために、接続具１０２を固定具１０１から取り外すことが可能になる。このようにして、固定具１０１と接続具１０２との脱着は所謂ワンタッチ操作により極めて容易に且つ確実に行うことができる。
【００３６】
次に、給水源からの給水を開始するのであるが、図９に示すように、給水前におけるフロート３７は自重によって下降しており、フロート３７に設けられた連結杆９２を介して連結アーム８４はその前端部が下向き傾斜するように回動した状態にある。そして、連結アーム８４の基部８６に設けられた弁体８８と蓋体７０の凸状部８１とは離反しているために、その連通孔８０は開放状態にある。従って、ホースＨ、接続継手３を介してボールタップ本体２０に流入した使用水の水圧を受けて、ボールタップ２のダイヤフラム弁７４は後方側に撓んで弁座５３の流入孔５２及び流出孔５４が開放される。これにより、使用水がボールタップ本体２０の流出口３２を介して流出管３４の角孔３５から貯水容器１に給水される。
【００３７】
その後、貯水容器１の水位がフロート３７の位置に達すると、フロート３７が浮力を受けながら流出管３４に沿って上昇することになる。これにより、図７に示すように連結杆９２を介して連結アーム８４はその前端部が上昇するように徐々に回動し、その基部８６に設けた弁体８８により蓋体７０の連通孔８０が閉塞されると共に、フロート３７の上昇が停止する（図２参照）。
【００３８】
このようにして弁体８８により連通孔８０が閉塞されると、蓋体７０のガイドピン７２に形成された連通溝７３を介して使用水の一部が背圧室７６内に流入するために、この背圧室７６内部の圧力が上昇し、ダイヤフラム弁７４に対する弁閉方向（前方方向）への押圧力が増加する。そして、かかる押圧力が使用水の水圧に超えることによりダイヤフラム弁７４が弁座５３に着座してその流入孔５２及び流出孔５４が閉塞される。これにより、貯水容器１の所定の水位となって、給水は自動的に停止されることになる。
【００３９】
貯水容器１内に貯水された使用水を、例えば高圧洗浄機により壁面や床面、各種車両を洗浄する場合は、高圧洗浄水の吸水ホースを貯水容器１内にセットした状態で高圧洗浄機を始動し、そのノズルから使用水を壁面等に高圧噴射して洗浄を行うことになる。
【００４０】
このような洗浄作業により貯水された使用水の使用により貯水容器１の水位が低下していくと、これに連動する連結杆９２の下降及び連結アーム８４の回動により、再度連結アーム８４の弁体８８が蓋体７０の凸状部８１から離反し、上述したと同様にして貯水容器１への給水が自動的に開始される。
【００４１】
以上で説明したように、本実施形態に係る貯水ユニットは貯水容器１の水位に応じて給水及びその停止を適切に行うことのできるボールタップ２を備えているために、貯水容器１からの不当な溢水を良好に回避することができるのは勿論こと、作業者の給水管理に対する負担が大幅に軽減されるので、作業者は本来の作業に専念することが可能になる結果、その作業効率を大幅に向上させることができる。
【００４２】
また、フロート３７はボールタップ本体２０の下部に下向きに設けられた流出管３４に沿って昇降するように構成されているために、即ちフロート３７はボールタップ本体２０の下方位置に配置されることになるために、貯水容器１内の空きスペースを十分に確保することが可能になる。従って、貯水容器１に貯水された使用水を利用するために、例えば貯水容器１内に比較的大きなストレーナーを備えた吸水ホースがセットされたり、大型の水中ポンプがセットされるような場合であっても、その設置にフロート３７が支障を与えるという事態を回避できることができて、使い勝手も非常に良好である。
【００４３】
また、連結杆９２を回転させることによりフロート３７の上下昇降範囲を任意に調整することができるために、貯水容器１への給水が開始される水位及び給水停止される水位の位置を適宜変更することが可能である。これにより、貯水を使用する作業の種類や使用態様等に応じた適切な貯水管理を行うことができる。
【００４４】
また、本実施形態に係る貯水ユニットは全体の構成が非常に簡易であるために、その取扱いが極めて容易であると共に、安価にその製作が行えるという実用的な利点も有している。
【００４５】
なお、上記実施形態における貯水容器１は、合成樹脂製のバケツで構成しているが、本考案のおける貯水容器１は決してこれに限定されるものではない。その材質や容量等は適宜変更が可能である。
【００４６】
また、貯水容器１には上記実施形態のように持ち手１１を必ずしも設ける必要はなく、省略しても構わない。
【００４７】
また、上記実施形態においては、フロート弁の一例としてボールタップ２を挙げて説明したが、本考案におけるフロート弁はこれに限定されるものでない。
【００４８】
その他、ボールタップ２や接続継手３の形状等の具体的な構成も一切問うものではなく、本考案の意図する範囲内において任意に設計変更自在である。
【符号の説明】
【００４９】
１    貯水容器
２    フロート弁（ボールタップ）
３    接続継手
３４    流出管
３７    フロート
１０１    固定具
１０２    接続具
Ｈ    給水用ホース
【図１】
0003186089.tif 000003
【図２】
0003186089.tif 000004
【図３】
0003186089.tif 000005
【図４】
0003186089.tif 000006
【図５】
0003186089.tif 000007
【図６】
0003186089.tif 000008
【図７】
0003186089.tif 000009
【図８】
0003186089.tif 000010
【図９】
0003186089.tif 000011